(57)【特許請求の範囲】
【請求項１】
棚パネル本体と、この棚パネル本体を壁面に水平に支持する支持部材と、棚パネル本体に組み込まれる電気機器とを備えて構成され、
棚パネル本体は、後方側面に開口する空隙部を有し、
支持部材は、壁面に固定される取付けプレートと、この取付けプレートに突設され前記空隙部に後方から挿入して棚パネル本体を支持する支持アームとを備え、取付けプレートは棚パネル本体の後方側面の面内に収まる寸法を有すると共に配線用開口が一部に形成されており、
電気機器は、棚パネル本体の厚みに収まる高さ寸法を有すると共に、前記空隙部内に収容配置され、前記取付けプレートの配線用開口を介して壁面側から電気的に接続されることを特徴とする棚装置。
【請求項２】
棚パネル本体の後方側面は、周縁部に対してその内側領域が一段窪んでおり、この窪みに取付けプレートが収まることを特徴とする請求項１記載の棚装置。
【請求項３】
支持部材は、横方向に並べて壁面に取付けることで使用される複数の分割部材から構成されていることを特徴とする請求項１又は請求項２記載の棚装置。
【発明の詳細な説明】
【技術分野】
【０００１】
本発明は、壁のような取付け基体に取付けられる電気機器を備えた棚装置に関するものである。
【背景技術】
【０００２】
従来から、棚板よりなる棚パネル本体と、棚パネル本体に取付けられる照明機器と、棚パネル本体を壁面に取付けるための取付け部材とからなる棚装置が特許文献１により知られている。この特許文献１に示された従来の棚装置は、取付けアームと称される取付け部材を壁面に取付け、複数の取付け部材の前端にランプ収納室部、点灯装置室部を有する枠材を掛け渡して取付け、枠材および取付け部材上に棚パネル本体を載設するようにしている。
【０００３】
したがって、上記特許文献１にあっては取付けアームと称される取付け部材、照明器具を収納した枠材が外部に露出すると共に、照明器具に接続される配線が外部に露出し、外観が悪いという問題がある。
【０００４】
一方、棚に照明器具を設けるものにおいて、照明器具に接続する配線が外部に露出しないようにした従来例が特許文献２により知られている。
【０００５】
この特許文献２に示された従来例にあっては、内部に空隙部を有する棚パネル本体の後端部に取付け板を上方と下方とに一体に突設して棚装置を形成し、壁面内を挿通したコードを棚パネル本体の背面から棚パネル本体の内部の空隙部内に挿通して照明器具に接続し、棚パネル本体の後端部に一体に設けた取付け板を壁面に固着するようにしている。
【０００６】
上記特許文献２にあっては、内部に空隙部を有する棚パネル本体の後端部に上方と下方に向けて取付け板を一体に突設して棚装置を形成してあるので、上方と下方とに突設した取付け板がそのままでは外部に露出して見苦しくなってしまう。そこで、取付け板が露出しないようにするため、取付け板の前面側を蓋材で覆い、その上にクロスを貼って取付け板が露出しないようにする壁面工事が必要である。
【０００７】
また、特許文献２にあっては、棚パネル本体に組み込んだ照明器具の保守点検を行うために、棚パネル本体に点検口を設けており、外観が悪いと共に、棚としての機能も低下する。ここで、仮に、特許文献２において、点検口を設けないと、棚パネル本体に組み込んだ照明器具の保守点検を行うには、クロスを剥ぎ取り、更に、蓋材を取り外した後、取付け板を壁面から取り外してから行う必要があり、工事が大掛かりとなるので、実施に問題が残り、このため、どうしても棚パネル本体に点検口を設けなければならず、上記した点検口を設けることによる問題点が発生する。
【特許文献１】特開平１１−１５４４１１号公報
【特許文献１】特開２０００−２７０９４３号公報
【発明の開示】
【発明が解決しようとする課題】
【０００８】
本発明は上記の従来の問題点に鑑みて発明したものであって、支持部材を露出させることなく棚パネル本体を壁面に水平に突出した状態で設置でき、棚パネル本体内に電気機器を設置可能であると共に、電気機器への配線接続が簡単に行え且つ配線が外部に露出せず、すっきりした外観にできる棚装置を提供することを課題とするものである。
【課題を解決するための手段】
【０００９】
上記課題を解決するために本発明に係る棚装置は、棚パネル本体１と、この棚パネル本体１を壁面２に水平に支持する支持部材３と、棚パネル本体１に組み込まれる電気機器４とを備えて構成され、棚パネル本体１は、後方側面に開口する空隙部５を有し、支持部材３は、壁面２に固定される取付けプレート６と、この取付けプレート６に突設され前記空隙部５に後方から挿入して棚パネル本体１を支持する支持アーム７とを備え、取付けプレート６は棚パネル本体１の後方側面の面内に収まる寸法を有すると共に配線用開口８が一部に形成されており、電気機器４は棚パネル本体１の厚みに収まる高さ寸法を有すると共に、前記空隙部５内に収容配置され、前記取付けプレート６の配線用開口８を介して壁面２側から電気的に接続されることを特徴とするものである。
【００１０】
このような構成とすることで、棚パネル本体１を支持部材３に取付けたとき、支持アーム７が内部から棚パネル本体１を支持すると共に、取付けプレート６が棚パネル本体１の後方側面の面内に収まることとなり、支持部材３を露出させることなく棚パネル本体１が水平に突出した状態で壁面２への設置が行えることになる。しかも、電気機器４が棚パネル本体１に内蔵させることが可能であるうえ、この電気機器４への配線接続も取付けプレート６に設けた配線用開口８を介して壁面２から棚パネル本体１の空隙部５を通して行えるものである。このように、支持部材３、電気機器４への配線が外部に露出することがない。
【００１１】
また、棚パネル本体１の後方側面は、周縁部に対してその内側領域が一段窪んでおり、この窪み１０に取付けプレート６が収まるように構成することが好ましい。
【００１２】
このような構成とすることで、取付けプレート６の厚み分も棚パネル本体１の後方側面内に収まり、外部に露出することがない。
【００１３】
また、支持部材３は、横方向に並べて壁面２に取付けることで使用される複数の分割部材１１から構成されていることが好ましい。
【００１４】
このような構成とすることで、棚パネル本体１の横幅寸法に合わせて、必要枚数の分割部材１１を組み合わせることで、横幅寸法の異なる棚パネル本体１にも対応可能となる。
【発明の効果】
【００１５】
本発明は、上記のように、棚パネル本体の空隙部内に支持アームが挿入されて棚パネル本体を内部から支持するので、棚パネル本体を壁に取付ける支持部材により確実に支持することができると共に、取付けプレートが棚パネル本体の後方側面の面内に収まる寸法となっているので、取付けプレートを棚パネル本体の後方側面の面内に収めることができて、取付けプレートが外部に露出しないようにでき、従来のように、取付けプレートを隠すための壁面工事を必要とせず、棚装置の取付けが容易に行える。また、電気機器が棚パネル本体の厚みに収まる高さ寸法を有すると共に、前記空隙部内に収容配置され、前記取付けプレートの配線用開口を介して壁面側から電気的に接続されるので、配線用開口を利用して電気機器への配線の電気的接続が簡単に行えると共に、配線が外部に露出しないようにでき、これにより支持部材、電気機器への配線が外部に露出しないようにできて、外観がすっきりとした棚装置を提供できる。また、本発明の棚装置は従来のように取付けプレートを隠すための壁面工事を必要としないので、電気機器の保守点検等の際も、大掛かりな壁面工事が必要でなく、簡単に保守、点検ができる。
【発明を実施するための最良の形態】
【００１６】
以下、本発明を添付図面に示す実施形態に基いて説明する。
【００１７】
本発明の棚装置Ａは、図３の分解斜視図で示すように、棚パネル本体１と、この棚パネル本体１を壁面２に水平に支持するための支持部材３と、棚パネル本体１に組み込まれる電気機器４とを備えて構成してある。
【００１８】
棚パネル本体１は、図２、図４、図５、図７に示すように、芯材１２と、芯材１２の上下面に取着される上下の面板９と、芯材１２の前側面、左右側面に取着される木口面板１３とで構成されたフラッシュ構造のパネルである。
【００１９】
芯材１２はＭＤＦ、合板等により形成してあり、前枠部１２ａの左右両側から背方に向けて側枠部１２ｂを突設し、更に、前枠部１２ａの左右両側の側枠部１２ｂ間から背方に向けて複数の中枠部１２ｃを背方に向けて突出することで構成してある。左右の側枠部１２ｂの後端面のうち内側の半部は前方に向けて窪んでいて窪み１０となっている。
【００２０】
この窪み１０は後述の支持部材３における取付けプレート６の肉厚よりも大きな寸法窪んでいる。なお、側枠部１２ｂは窪み１０を設けた内側の部分と窪み１０を設けない外側の部分とを一体の部材で形成してもよく、また、長さが短い内側の部分と長さが長い外側の部分を別部材で形成し、長さの長い外側の部分の内側に長さの短い部分を固着することで、長さが短い部分の後端が窪み１０として形成されるようにしてもよい。また、中枠部１２ｃの後端は左右の側枠部１２ｂの後端（実施形態では窪み１０を設けた部分）よりも前方にずれて位置している。
【００２１】
上記のような構成の芯材１２の上下面にそれぞれ突板化粧板等の化粧板よりなる面板９を取着し、更に、芯材１２の前側面、左右側面にそれぞれ木口面板１３を取着することで、後方側面に開口する空隙部５が内部に形成された棚パネル本体１が形成される。
【００２２】
上記空隙部５は、側枠部１２bと中枠部１２ｃとの間、及び、中枠部１２ｃ間にそれぞれ形成される。
【００２３】
ここで、棚パネル本体１内の空隙部５には電気機器４が組み込まれる。電気機器４は棚パネル本体１の厚みに収まる高さ寸法のものであり、この電気機器４としては、照明器具、スピーカ等を例示することができるが、これ以外の電気機器であってもよいのはもちろんである。電気機器４を棚パネル本体１内に組み込むには、棚パネル本体１を組み立て形成する際に電気機器４を組み込んでもよく、あるいは、棚パネル本体１を組み立てた後に、後付けで電気機器４を棚パネル本体１内に組み込んでもよい。この場合、例えば、下の面板９に設けた取付け孔１４から棚パネル本体１内に電気機器４を嵌め込んで組み込むようにしてもよい。
【００２４】
支持部材３は金属製で、図８に示すように、壁面２に固定される取付けプレート６と、この取付けプレート６に突設された複数の支持アーム７とを備えている。取付けプレート６は棚パネル本体１の後方側面の面内に収まる寸法となっている。
【００２５】
実施形態においては取付けプレート６の上下寸法が芯材１２の厚み寸法と同じ長さとしてあり、支持アーム７は取付けプレート６の前面の上部から前方に突出してある。また、取付けプレート６には１乃至複数の孔または切欠きよりなる配線用開口８が形成してある。添付図面に示す実施形態では取付けプレート６に前後方向及び下方に開口する切欠きよりなる配線用開口８を設けた例が示してある。更に、取付けプレート６には複数の固着具挿入孔１５が設けてある。
【００２６】
また、添付図面に示す実施形態では、支持部材３は左右方向に複数の分割部材１１を並設して構成してあり、各分割部材１１にはそれぞれ、取付けプレート６、複数の支持アーム７、配線用開口８、固着具挿入孔１５が設けてある。このように支持部材３を複数の分割部材１１に分割し、横方向に並べて壁面２に取付けることができるようにすることで、棚パネル本体１の横幅寸法（左右方向の寸法）に合わせて、必要枚数の分割部材１１を組み合わせ、横幅寸法の異なる棚パネル本体１に対応するようになっている。もちろん、支持部材３が分割してなくて一体物であってもよい。
【００２７】
上記構成の棚装置Ａを壁面２に水平状態で前方に突出させて設置するには以下のようにして行う。
【００２８】
まず、支持部材３の取付けプレート６に設けた固着具挿入孔１５を利用して木ネジ、釘等の固着具を用いて壁面２に取付ける。
【００２９】
壁面２には壁面２内に通線した配線１６を引き出すための通線孔１７が形成してあり、この通線孔１７から引き出した配線１６を上記取付けプレート６に設けた配線用開口８に挿通する。
【００３０】
次に、棚パネル本体１内に組み込んだ電気機器４と上記配線用開口８に挿通した配線１６とを電気的に接続する。
【００３１】
添付図面に示す実施形態では、電気機器４が照明器具の例で、照明器具としてＬＥＤダウンライトの例が示してあり、図７（ｂ）に示すように器具ケース４ａ内にＬＥＤ発光部４ｂを設けると共に下面部に集光レンズ４ｃを設けてある。
【００３２】
また、取付けプレート６の前面にトランス１９を取付け、配線用開口８に挿通した配線１６をトランス１９に接続し、トランス１９に接続した配線１６ｂと、電機機器４にあらかじめ接続してある配線１６ａとをコネクタなどにより電気的に接続するようになっている。
【００３３】
このような電機機器４への電気的接続を行ったのち、壁面２に取付けた支持部材３の前方に突出する支持アーム７に、棚パネル本体１の後方側面の開口を嵌め込んで、支持アーム７を棚パネル本体１の空隙部５に差し込んで支持アーム７により棚パネル本体１を支持し、後述の連結手段により棚パネル本体１と支持部材３とを連結することで、図１に示すように棚パネル本体１を水平姿勢で壁面２から前方に突出した状態で取付ける。
【００３４】
この状態では、配線１６の先端部、及び配線１６ａ、１６ｂが棚パネル本体１内の空隙部５内に収められ、また、支持アーム７が空隙部５内に収められると共に、取付けプレート６が、空隙部５の後端開口部である棚パネル本体１の後方側面の面内に収められ、配線１６、１６ａ、１６ｂ、支持アーム７、取付けプレート６が外部に露出しないようになっている。この場合、取付けプレート６の端部が窪み１０内に位置して取付けプレート６の端部も外部に露出しないようになっている。
【００３５】
なお、上記実施形態ではトランス１９を取付けプレート６の前面に取付けた例を示したが、棚パネル本体１内の空隙部５内に配置して取付けてもよい。
【００３６】
支持アーム７を棚パネル本体１の後方側面の開口から差し込む場合、図７（ｂ）に示す実施形態のように、支持アーム７は取付けプレート６の前面の上部から前方に突出し、電気機器４を棚パネル本体１の空隙部５内の上下方向の下半部に配設すると、あらかじめ電気機器４を棚パネル本体１の空隙部５内に配設してある場合は、支持アーム７の差し込みの際に、支持アーム７が電気機器４に当たることなく、差し込むことができ、また、電気機器４を棚パネル本体１を壁面２に取付け後に空隙部５内に内装する場合は、取付け孔１４から電気機器４を嵌め込む際に支持アーム７が差し込まれる位置の下方に電気機器４を嵌め込むことも可能となる。
【００３７】
棚パネル本体１と支持部材３とは任意の連結手段で連結する。図６には連結手段の一実施形態が示してある。
【００３８】
すなわち、取付けプレート６の前面の左右両端部から前方に軸部１８を突設し、該軸部１８の前端部には、小径の細首部１８ａを介して大径の引掛け部１８ｂを設けてある。棚パネル本体１の左右両端部の側枠部１２ｂの後端部には後方側面のくぼみ１０部分に開口する前後方向の軸挿通孔２０が設けてあり、更に、棚パネル本体１の後端部の側枠部１２ｂには下の面板９側から縦穴２１が設けてあり、この縦穴２１は軸挿通孔２０の前端に連通するとともに棚パネル本体１の下面に開口している。そして、支持アーム７に、棚パネル本体１の後方側面の開口を嵌め込む際に、軸部１８を軸挿通孔２０に差込み、軸部１８の先端の細首部１８ａ及びその先端の引掛け部１８ｂを縦穴２１内に挿入する。
【００３９】
この状態で、縦穴２１内に図６に示すような連結具２２を嵌め込む。この連結具２２は頭部２２ａの片面から筒状をした胴部２２ｂを一体に突設したもので、該胴部２２ｂは突出先端が開口し、該開口縁から胴部２２ｂの側面にスリット２２ｃが形成され、スリット２２ｃの途中又は後端にスリット２２ｃよりも幅広の係止孔２２ｄを設けて構成してあり、連結具２２を縦穴２１に嵌め込むと、細首部１８ａがスリット２２ｃを弾性的に押し開きながら嵌め込まれると共に大径の引っ掛け部１８ｂが筒状の胴部２２ｂ内に嵌め込まれ、細首部１８ａが係止孔２２ｄまで嵌め込まれるとスリット２２ｃの両側が弾性復帰力で元に戻り、細首部１８ａが係止孔２２ｄに係止されて連結具２２が縦穴２１から外れないようになると共に、大径の引っ掛け部１８ｂが係止孔２２ｄよりも大径であるため連結具２２と軸部１８とが抜けないように係止され、これにより棚パネル本体１と支持部材３とが連結されるようになっている。
【００４０】
もちろん、連結手段としては上記の例にのみ限定されるものではない。
【００４１】
また、縦穴２１の開口端部には別途キャップを嵌め込んで連結具２２が見えないようにしてもよい。
【図面の簡単な説明】
【００４２】
【図１】本発明の棚装置の壁面への取付け状態を示す下方から見た斜視図である。
【図２】同上の棚装置の壁面への取付け状態の平面断面図である。
【図３】同上の棚装置の下方から見た分解斜視図である。
【図４】同上の棚装置の平面図である。
【図５】同上の下面図である。
【図６】（ａ）は同上の連結手段による連結の例を示す下方から見た分解斜視図であり、（ｂ）は断面図である。
【図７】（ａ）は同上の左右方向の断面図であり、（ｂ）は前後方向の拡大断面図である。
【図８】同上に用いる支持部材を示し、（ａ）は平面図であり、（ｂ）は正面図であり、（ｃ）は側面図である。
【符号の説明】
【００４３】
１  棚パネル本体
２  壁面
３  支持部材
４  電気機器
５  空隙部
６  取付けプレート
７  支持アーム
８  配線用開口
１０  窪み
１１  分割部材
【図１】
0004893492.tif 000002
【図２】
0004893492.tif 000003
【図３】
0004893492.tif 000004
【図４】
0004893492.tif 000005
【図５】
0004893492.tif 000006
【図６】
0004893492.tif 000007
【図７】
0004893492.tif 000008
【図８】
0004893492.tif 000009